(57)【要約】【課題】合成多色画像を被描画体に形成するカラー画像複製システムでデジタル多色画像を複製すべくデジタル多色画像を処理するシステム及び方法を提供する。【解決手段】デジタル多色画像をカラー印刷・複写システムで複製するためのデジタル多色画像を処理するシステム及び方法を開示する。色分解画像に関連した対応色のマーキング粒子のドットは、複製される画像部分に対応する印刷エリアが十分に覆われない限り、第１のマーキング粒子の層を作成するように互に隣接して配置される。このエリアが十分に覆われても画像が完全に描画されない場合、第２の層及び後続の層が第１の層の上に形成される。デジタル画像の中間調処理では、同一層内では、全てのドットがそれぞれの色と無関係に同じマトリクス構造のラスタを使用して得られ、一方、異なった層に関連したドットは異なるマトリクス構造のラスタを使用して得られる。【選択図】      図４
2004188973.tif 000002
【特許請求の範囲】
【請求項１】
プロセスカラーの選択用の画像信号であって、プロセスカラーの前記選択によるプロセスカラーのデジタル分解画像に関連付けられ、デジタル多色画像の各画素に関連したプロセスカラーの画像濃度値を指定する該画像信号を前記デジタル多色画像から生成するステップと、
前記デジタル多色画像の各画像部分について総エリアカバレッジ値ＣＴを決定するため、前記各画像部分について前記画像部分における画素のプロセスカラーのすべての前記画像濃度値を合計するステップと、
を有し、
ある画像部分の総エリアカバレッジ値が１００％を上回る場合、
ａ）前記画像信号によって指定された前記画像部分の画素の前記画像濃度値を、マーキング粒子の画像ドットの第１の層に関連付けられた第１の画像濃度値と、マーキング粒子の画像ドットの第２の層及び後続の層に関連付けられた少なくとも第２の画像濃度値とに分割するステップであって、前記少なくとも第２の画像濃度値の合計をＣＴ＝１００％に一致するエリアカバレッジの値に対応させる、分割するステップと、
ｂ）マトリクスディザ技術を用いて、前記画像信号を、対応する第１の印刷信号及び対応する少なくとも第２の印刷信号に変換するステップであって、前記印刷信号のそれぞれは、画像部分の各画素に対し、対応するプロセスカラーのマーキング粒子の画像ドットを形成すべきであるかを示す信号であり、前記マトリクスディザ技術は、前記第１の印刷信号のそれぞれを前記第１の画像濃度値を閾値処理することによって第１の２次元マトリクス構造のラスタから構築し、一方、前記第２の印刷信号のそれぞれを前記第２の画像濃度値を閾値処理することによって前記第１の２次元マトリクス構造とは異なる第２の２次元マトリクス構造のラスタから構築するような技術である、変換するステップとを更に備える、デジタル多色画像を画像処理する方法。
【請求項２】
少なくとも２色のプロセスカラーは非零の第２の画像濃度値を有する、請求項１に記載の方法。
【請求項３】
関連した前記第１の画像濃度値に基づいて少なくとも２色の前記プロセスカラーのうちの第１のプロセスカラーの第１のエリアカバレッジ割合を決定し、関連した前記第２の画像濃度値に基づいて前記第１のプロセスカラーの第２のエリアカバレッジ割合を決定し、関連した前記第１の画像濃度値に基づいて前記少なくとも２色のプロセスカラーのうちの第２のプロセスカラーの第１のエリアカバレッジ割合を決定し、関連した前記第２の画像濃度値に基づいて前記第２のプロセスカラーの第２のエリアカバレッジ割合を決定するステップを更に有し、
前記第１のプロセスカラーの前記第１のエリアカバレッジ割合と前記第２のプロセスカラーの前記第１のエリアカバレッジ割合との間の比と、前記第１のプロセスカラーの前記第２のエリアカバレッジ割合と前記第２のプロセスカラーの前記第２のエリアカバレッジ割合との間の比との差が５％未満になるような分割が行われる、請求項２に記載の方法。
【請求項４】
前記画素に関連した画像濃度値の合計が前記第１のマトリクス構造の最大閾値よりも大きい場合、画素が関連した非零の第２の画像濃度値だけを有するような分割が行なわれる、請求項１から３のいずれか一項に記載の方法。
【請求項５】
前記第１の層だけに描画される少なくとも１色のプロセスカラーを選択するステップを更に有する、請求項４に記載の方法。
【請求項６】
前記プロセスカラーがコントラスト値の減少する順に順序付けられるように、各画素に関連した画像濃度値をソートするステップを更に有する、請求項１から５のいずれか一項に記載の方法。
【請求項７】
前記画像部分は単一の画素により構成される、請求項１から６のいずれか一項に記載の方法。
【請求項８】
プロセスカラーの選択用の画像信号であって、プロセスカラーの前記選択によるプロセスカラーのデジタル分解画像に関連付けられ、デジタル多色画像の各画素に対し関連したプロセスカラーの画像濃度値を指定する該画像信号を前記デジタル多色画像から生成する生成モジュールと、
前記デジタル多色画像の各画像部分について総エリアカバレッジ値ＣＴを決定するため、前記各画像部分について前記画像部分における画素の前記プロセスカラーのすべての前記画像濃度値を合計し、ある画像部分の総エリアカバレッジ値が１００％を上回る場合、画像信号によって指定された画像部分の画素の画像濃度値を、マーキング粒子の画像ドットの第１の層に関連付けられた第１の画像濃度値と、マーキング粒子の画像ドットの第２の層及び後続の層に関連付けられた少なくとも第２の画像濃度値とに分割し、前記少なくとも第２の画像濃度値の合計をＣＴ＝１００％に一致するエリアカバレッジ値に対応させる解析モジュールと、
ＣＴが１００％を上回る場合に、マトリクスディザ技術を用いて、前記画像信号を、対応する第１の印刷信号及び対応する少なくとも第２の印刷信号に変換する変換モジュールであって、前記印刷信号のそれぞれは、画像部分の各画素に対し、対応するプロセスカラーのマーキング粒子の画像ドットを形成すべきであるかを示す信号であり、前記マトリクスディザ技術は、前記第１の印刷信号のそれぞれを前記第１の画像濃度値を閾値処理することによって第１の２次元マトリクス構造のラスタから構築し、一方、前記第２の印刷信号のそれぞれを前記第２の画像濃度値を閾値処理することによって前記第１の２次元マトリクス構造とは異なる第２の２次元マトリクス構造のラスタから構築するような技術である、変換モジュールとを備える、デジタル多色画像を処理する画像処理システム。
【発明の詳細な説明】
【技術分野】
【０００１】
本発明は、印刷又は複写システム上の複製用の多色画像処理に関する。特に、各色分解画像に関連した各色のマーキング粒子が重ね合わされる関係で配置されている複数の色分解画像により構成されている画像を被描画体に形成するシステムに関する。
【背景技術】
【０００２】
以下、多色印刷システムだけについて説明するが、本発明は、デジタル多色印刷および／または複写システムに同等に適用可能である。本明細書において、色は、黒及び白、並びに、灰色のすべての陰影を含むあらゆる色を意味する。限定された数の色（プロセスカラー）のマーキング粒子は、カラー画像を描画するため各多色印刷システムで利用可能である。デジタルカラー印刷において、連続的な階調はプロセスカラーによる分解画像を中間調処理することによって描画される。プロセスカラーは、カラー画像を描画するため各多色印刷システムで利用できるマーキング粒子の色であり、その数は限定されている。通常、これらのカラー印刷システムは、例えば、インク若しくはトナーのような使用されるマーキング粒子の種類に基づいて分類され、また、例えば、マグネトグラフィー、電子写真、若しくはインクジェットのような利用されるイメージング処理やメディアレンジの生産性に基づいて分類される。しかし、マーキング粒子の多色画像がどのように構成されているかに基づいて分類することも可能である。市販されているデジタル多色印刷システムの大多数において、マーキング粒子の多色画像は、マーキング粒子による複数の色分解画像が位置合わせされて色分解画像構成され、各色分解画像に係る各プロセスカラーを有するマーキング粒子の画像ドットは重ね合わされ、マーキング粒子の階層構造を形成する。マーキング粒子の積み重ねられる高さは、マーキング粒子のサイズと、中間調処理と、利用可能なプロセスカラーの数とに依存し、画像濃度によって変化する。第１の中間調処理アプローチによれば、各プロセスカラーの色分解画像は、分解画像毎に異なるスクリーンを使用して中間調処理される。異なるプロセスカラーの画像ドットの間のオーバーラップ量は、画像濃度と、それぞれのスクリーンに関連した画素記入シーケンスと、に依存する。複数の異なるスクリーンを使用するこのアプローチの不都合は、モアレパターンの生成に対する感度である。モアレパターンは、中間調スクリーンを組み合わせることによって発生される干渉パターンにより生じる可視的な歪みであって描画された多色画像に現れるものである。モアレパターンの可視的効果は所定のスクリーン角度を使用して中間調スクリーンを傾けることにより低減させ得ることは公知であるが、モアレを回避することは、４色以上のプロセスカラーを描画できるカラー印刷機では特に困難である。したがって、プロセスカラー毎に異なるスクリーンを使用することは、多色画像を描画するために４色以上のプロセスカラーを利用できる場合には選択肢に含まれない。第２の中間調処理アプローチでは、同じスクリーンが各プロセスカラーに対して使用される。このアプローチは、それぞれの色の画像ドットの間に最大のオーバーラップを生じ、その結果として、エリアカバレッジが最小になる。特に、画像濃度が低い場合には、この第２のアプローチによって描画された画像は粒状性に対する感度が非常に高い。粒状性は、描画された色について認知される特徴であり、着色されたマーキング粒子が如何に均一に被描画体上に現像されるかに関連している。
【０００３】
上記のアプローチには更に本来的な不都合がある。第一に、異なるプロセスカラーのマーキング粒子は重ね合わされるので、マーキング粒子の積み重ねの高さが、特に、フルカラー高濃度画像部分において高くなる可能性がある。特に、マーキング粒子がトナー粒子である場合、トナー粒子のサイズは典型的にマイクロメートルのレンジにあり、プロセスカラーの数が増加するとマーキング粒子の最大積み重ね高さも増加するので、画像を描画するために使用されるプロセスカラーの量が制限される。マーキング粒子の積み重ねの高さが高くなると、利用者にとって視覚的にも知覚的にも目立つようになるだけではなく、媒体のカール及び運搬に悪影響を与えると共に、スクラッチや折り曲げのような外部からの機械的影響に対する抵抗力を低下させる。その上、様々な画像構成、例えば、種々の濃度および／またはカラー組成は、上記の不都合の一部を強め、異なる画像部分の間に光沢の差のような更なる不都合を露見させるトポグラフィックな差異を被描画体に生じさせる。
【０００４】
米国特許第６，２５０，７３３号明細書には、すべてのカラーに対して一つのスクリーンを利用する中間調処理方法が提案され、この中間調処理方法では、低画像濃度レベルにおいて、画素は、各色の画像ドットを、重ね合わせるのではなく相互に隣接させて配置することにより描画される。この画像ドット・オフ・ドット方式は粒状性に関して有利である。米国特許第６，２５０，７３３号明細書には、更に、ある画像部分の画素の画像濃度レベルの合計が１００％のインク領域カバレッジに対応する閾値を上回るとき、残りの画像濃度レベルが、同じスクリーンを利用する第２のインク層に画像ドットを重ね合わせることにより描画されることが開示されている。しかし、この第２のインク層を加えるとき、第２の層のインクドットが同じ色の第１の層のインクドットの上に置かれないように注意しなければならない。これを可能にするため、ある画像部分が１００％インク領域カバレッジの閾値を上回る画像濃度レベルの合計を有し、第２の層の画像ドットを形成する必要があるならば、プロセスカラーに関連した画像データは、その画像データを仮想色に関連付けるように再構成される。これらの仮想色は２色のプロセスカラーの組合せによって実現される。このようなプロセスカラーの組合せは、同じスクリーンを使用して二つの層で２色のプロセスカラーを相互に重ねることによって実現される。両方の層に同じスクリーンを使用することにより、例えば、位置合わせ誤差に起因する望ましくない干渉パターンが生じる。
【０００５】
【特許文献１】米国特許第６，２５０，７３３号明細書
【発明の開示】
【発明が解決しようとする課題】
【０００６】
本発明の目的は、着色されたマーキング粒子が位置合わせされた合成多色画像を被描画体に形成する能力を備えたカラー画像複製システムでデジタル多色画像を複製するためデジタル多色画像を処理するシステム及び方法を提供することである。デジタル多色画像は、そのデジタル多色画像の複製中に粒状性を制限すると共に干渉パターンを回避するように処理されるべきである。
【０００７】
本発明の更なる目的は、マーキング粒子の積み重ね高さが制限されたフルカラー画像を生成する能力を備えたカラー画像複製システムでデジタル多色画像を複製するためデジタル多色画像を処理するシステム及び方法を提供することである。
【０００８】
さらに、本発明の更なる目的は、プロセスカラーの数に制限を課すことなく画像を描画する能力を備えたカラー画像複製システムでデジタル多色画像を複製するためデジタル多色画像を処理するシステム及び方法を提供することである。
【課題を解決するための手段】
【０００９】
本発明によれば、カラー画像複製システムによって生成されたマーキング粒子の多色画像は、複数の位置合わせされた色分解画像により構成され、各色分解画像に関連付けられた対応色のマーキング粒子は、複製されるべき画像部分に対応する印刷エリアが完全に覆われない限り、第１のマーキング粒子の層を作成するように、互いに隣接して配置される。このエリアが十分に覆われてもなお画像が完成していない場合には、連続して配置される第２のマーキング粒子の層及び後続の層が第１の画像ドットの層の上に形成される。このドット・オフ・ドット方式は、粒状性を制限し、マーキング粒子の積み重ね高さを制限し、プロセスカラーの数に制限を課さない、という利点がある。プロセスカラーはシステムで利用可能などのような色でもよく、例えば、黒、白、シアン、マゼンタ、黄、赤、緑、青、橙、ピンク、並びにこれらのプロセスカラーの淡色、中間色、及び濃色が含まれる。特に、本発明の第１の態様によれば、デジタル多色画像を画像処理する方法が開示され、この方法は、以下のステップを備える。すなわち、
・デジタル多色画像からプロセスカラーの選択用の画像信号を生成し、各画像信号はプロセスカラーの選択によるプロセスカラーのデジタル分解画像に関連付けられ、デジタル多色画像の各画素に対し、関連したプロセスカラーの画像濃度値を指定するステップと、
・デジタル多色画像の各画像部分について総エリアカバレッジ値ＣＴを決定するため、各画像部分について画像部分における画素のプロセスカラーのすべての画像濃度値を合計するステップと、を備え、さらに
・ある画像部分の総エリアカバレッジ値が１００％を上回る場合に、
ａ）画像信号によって指定された画像部分の画素の画像濃度値を、マーキング粒子の画像ドットの第１の層に関連付けられた第１の画像濃度値と、マーキング粒子の画像ドットの第２の層及び後続の層に関連付けられた少なくとも第２の画像濃度値とに分割するステップであって、少なくとも第２の画像濃度値の合計がＣＴ＝１００％に一致するエリアカバレッジ値に対応させる、分割するステップと、
ｂ）マトリクスディザ技術を用いて、画像信号を、対応する第１の印刷信号及び対応する少なくとも第２の印刷信号に変換するステップと、を備える。変換するステップにあっては、印刷信号のそれぞれは、画像部分の各画素に対し、対応するプロセスカラーのマーキング粒子の画像ドットを形成すべきであるかどうかを示す信号であり、マトリクスディザ技術は、第１の印刷信号のそれぞれが第１の画像濃度値を閾値処理することによって第１の２次元マトリクス構造のラスタから構築され、一方、第２の印刷信号のそれぞれが第２の画像濃度値を閾値処理することによって第２の２次元マトリクス構造のラスタから構築されるような技術である。第１の層に関連したラスタは第２の層及び後続の層に関連したラスタとは異なるので、望ましくない干渉パターンの形成を制限することが可能である。
【００１０】
画像処理システムは、ネットワーク若しくはその他のインタフェースによって、印刷および／または複写システムのような１台以上の画像複製システムに接続することができるコンピュータに組み込むことができる。画像処理システムはカラー画像複製システムの一部でもよい。画像処理システムは、カラースキャナがネットワーク若しくはその他のインタフェースによってカラー画像複製システムに接続できる場合には、そのカラースキャナの一部でもよい。
【００１１】
本発明の一実施例によれば、少なくとも２個のプロセスカラーは、非零の第２の画像濃度値をもつ。この場合、上記方法は、関連した第１の画像濃度値に基づいて少なくとも２個のプロセスカラーのうちの第１のプロセスカラーの第１のエリアカバレッジ部分と、関連した第２の画像濃度値に基づいて第１のプロセスカラーの第２のエリアカバレッジ部分と、関連した第１の画像濃度値に基づいて少なくとも２個のプロセスカラーのうちの第２のプロセスカラーの第１のエリアカバレッジ部分と、関連した第２の画像濃度値に基づいて第２のプロセスカラーの第２のエリアカバレッジ部分と、を決定するステップを更に有し、分割は、第１のプロセスカラーの第１のエリアカバレッジ部分と第２のプロセスカラーの第１のカバレッジエリアの比が、第１のプロセスカラーの第２のカバレッジエリアと第２のプロセスカラーの第２のエリアカバレッジ部分の比から５％未満の差異しか生じないような分割である。少なくとも二つのプロセスカラーのエリアカバレッジ部分の間の比の層間における変動を最小限に抑えることは、複製画像のカラーバランスに有利な影響を与える。
【００１２】
本発明の別の態様によれば、デジタル多色画像を処理する画像処理システムが開示され、この画像処理システムは、以下のモジュールを備える。すなわち、
・デジタル多色画像からプロセスカラーの選択用の画像信号を生成し、各画像信号はプロセスカラーの選択によるプロセスカラーのデジタル分解画像に関連付けられ、デジタル多色画像の各画素に対し、関連したプロセスカラーの画像濃度値を指定する生成モジュールと、
・デジタル多色画像の各画像部分に対し、画像部分毎に総エリアカバレッジ値ＣＴを決定するため、画像部分の画素のすべてのプロセスカラーの画像濃度値を合計し、ある画像部分の総エリアカバレッジ値が１００％を上回る場合、画像信号によって指定された画像部分の画素の画像濃度値を、マーキング粒子の画像ドットの第１の層に関連付けられた第１の画像濃度値と、マーキング粒子の画像ドットの第２の層及び後続の層に関連付けられた少なくとも第２の画像濃度値とに分割し、少なくとも第２の画像濃度値の合計をＣＴ＝１００％に一致するエリアカバレッジ値に対応させる解析モジュールと、
・ＣＴが１００％を上回る場合、マトリクスディザ技術を用いて、画像信号を、対応する第１の印刷信号及び少なくとも対応する第２の印刷信号に変換する変換モジュールと、
を備える。変換モジュールにおいては、印刷信号のそれぞれは、画像部分の各画素に対し、対応するプロセスカラーのマーキング粒子の画像ドットが形成されるべきであるかどうかを示す信号であり、マトリクスディザ技術は、第１の印刷信号の各々が第１の画像濃度値を閾値処理することによって第１の２次元マトリクス構造のラスタから構築され、一方、第２の印刷信号の各々が第２の画像濃度値を閾値処理することによって、第１の２次元マトリクス構造とは異なる第２の２次元マトリクス構造のラスタから構築されるような技術である。
【００１３】
以下、添付図面との関連で本発明を詳細に説明する。様々な実施例を開示する。しかし、当業者がその他の様々な均等な実施例、或いは、本発明を実施する別の方法を想像できることは明らかであり、本発明の範囲は特許請求の範囲に記載された事項だけによって限定される。
【発明を実施するための最良の形態】
【００１４】
本発明の好ましい実施例によれば、図１に示されるように、デジタル画像複製システム、即ち、カラー印刷および／または複写システムは、画像処理システム（１）と印刷ユニット（２）を含む。デジタル多色画像は、複製を作るためにデジタル画像複製システムに供給される。デジタル画像は様々な方法で生成される。例えば、デジタル画像は、スキャナ（３）を使用して原画像を走査することによって生成される。スキャナはデジタル画像複製システムの一部でもよく、或いは、ネットワーク若しくはその他のインタフェースを介してデジタル画像複製システムに接続してもよい。デジタル静止画像は、カメラ又はビデオカメラ（４）によって生成され、カメラ又はビデオカメラは、ネットワーク若しくはその他のインタフェース、例えば、ＩＥＥＥ１３９４インタフェースを介してデジタル画像複製システムに接続できる。スキャナ又はカメラによって通常はビットマップ形式若しくは圧縮ビットマップ形式で生成されたデジタル画像の他に、例えば、コンピュータプログラムによって人工的に製作されたデジタル画像又は文書（５）もデジタル画像複製システムに供給される。後者の画像は、一般的に、ページ記述言語（ＰＤＬ）フォーマットや拡張マークアップ言語（ＸＭＬ）フォーマットを含む構造化フォーマットで表されるが、これらのフォーマットには限定されない。ＰＤＬフォーマットの例には、ＰＤＦ（Ａｄｏｂｅ）、ＰｏｓｔＳｃｒｉｐｔ（Ａｄｏｂｅ）、及びＰＣＬ（Ｈｅｗｌｅｔｔ−Ｐａｃｋａｒｄ）が含まれる。
【００１５】
デジタル画像の由来とは無関係に、画像処理システムによって、直接的又はインタフェース経由で容易に取り出せるように、デジタル画像をメモリに記憶するようにしてよい。
【００１６】
画像処理システムの画像信号生成器（８）は、プロセスカラー選択（７）のための画像信号の系列を生成する。プロセスカラー（６）は、印刷ユニットで利用できるマーキング粒子の色に対応する。プロセスカラーの例は、黒、白、シアン、マゼンタ、黄、赤、緑、青、ピンク、橙であり、これらのプロセスカラーの淡色、中間色又は濃色も含まれる。プロセスカラーの任意の選択が可能である。例えば、選択は、デジタル画像および／または希望の品質レベルを適切に複製するために要求される全色域に依存して行われる。各画像信号は、選択による特定のプロセスカラーの分解画像と１対１の関係をもつ。画像信号は、デジタル画像の各画素に対して、関連したプロセスカラーの少なくとも一つの画像濃度値を指定する。画像濃度値は典型的に８ビット値であり、このため、プロセスカラーの１色当たりについて２５６個のグレイレベルを使用することができる。
【００１７】
解析モジュール（１０）は、デジタル画像の画像部分毎に、画像部分のすべての画素のすべての選択されたプロセスカラーの画像濃度値を合計する。得られた数値は、画像部分のエリアに対する総カバレッジ値ＣＴ、即ち、マーキング粒子の画像ドットを互いに隣接させて、重なり合うことなく配置するときに、全画像部分を描画するため必要になる被描画体上のエリアを決定するため使用される。実施可能であるならば、画像強度はＣＴを決定するときに補正される。
【００１８】
変換モジュール（９）は、詳細に後述される本発明による中間調技術を用いて画像信号を印刷信号に変換する。各印刷信号は、画素毎に、対応するプロセスカラーのマーキング粒子の画像ドットが形成されるべきであるかどうかを指示する。この指示は、印刷ユニットの中間調処理能力に依存して１ビット値又は多ビット値を使用して行われる。印刷ユニットが多レベルの中間調処理能力を備えている場合、多ビット値が使用され、ビット数は印刷ユニットによって１画素当たりに再現可能なグレイレベルの数に関係する。通常、印刷ユニットは２値の中間調処理能力、換言すると、画像ドットが形成されるべきか否かを指示する「０」又は「１」の単一ビット値しか備えていない。以下の説明では、２値の中間調処理能力だけを備えている印刷ユニットだけを参照する。しかし、本発明は、多重レベルの中間調処理能力を備えた印刷ユニットにも同等に適用できることが明白である。
【００１９】
多数のプロセスカラー（６）が印刷ユニット（２）で利用できる。印刷信号の系列に応答して、印刷ユニット（２）は、対応するプロセスカラーのマーキング粒子の各分解画像を被描画体に形成する。印刷ユニットは、全エリアカバレッジに達するまで、各色の分解画像に関連したマーキング粒子の画像ドットを互いに隣接して配置して、マーキング粒子の第１の層を形成する。ある画像部分でＣＴ＞１００％であるならば、第２の層及び後続の層が、少なくとも２個のプロセスカラーに対し各層内で同じエリアカバレッジ比を使用して、上記第１の層の上に形成される。マーキング粒子の層を形成するとき、全エリアカバレッジに到達したときに限り後続の層が形成される。被描画体は、印刷部材でも中間部材でもよい。媒体はウェブ形式でもシート形式でもよく、例えば、紙、段ボール、ラベルストック、プラスチック、又は、織物によって構成されてよい。中間部材は、ベルト又はドラムのような、循環運動をする無端部材でもよい。
【００２０】
図２のフローチャートに示されるように本発明の一実施例による画像処理ユニットが動作するとき、デジタル画像は画像信号生成器（８）へ供給される。画像信号生成器は、プロセスカラーの選択用の画像信号（２０）を生成し、各画像信号は上記選択によるプロセスカラーのデジタル分解画像に関連付けられ、上記デジタル画像の画素毎に関連したプロセスカラーの画像濃度値を指定する。選択されたプロセスカラーは、シアン（Ｃ）、マゼンタ（Ｍ）、黄（Ｙ）及び黒（Ｋ）である。第１の画像部分（２１）が選択される。画像部分（２１）のサイズは１画素のサイズから完全な画像のサイズまで変わり得る。画像部分の各画素Ｐ（ｉ、ｊ）（２２）に対し、プロセスカラー選択のための関連した画像濃度値Ｙｉ、ｊ、Ｍｉ、ｊ、Ｃｉ、ｊ、Ｋｉ、ｊが取り出される。選択された画像部分のすべての画素の画像濃度値は、総エリアカバレッジ値ＣＴを決定するために加算される（２３）。例えば、選択された画像部分に対して、ＣＴ［％］は次式によって決められる。
【数１】
2004188973.tif 000003
式中、ＴＭＡＸはマトリクス構造の最大閾値である。
【００２１】
次に、選択された画像部分がマーキング粒子の画像ドットの単一層を使用して描画できるかどうかを、ＣＴ値を１００％の全エリアカバレッジ値と比較する（２４）ことよって判定する。ＣＴ値が１００％以下であるならば、対応するプロセスカラーのマーキング粒子の画像ドットの単一層は選択された画像部分を描画するために十分である。この場合、図３を参照して後述するように、画像信号は、各プロセスカラーに対して同じ中間調スクリーンを利用して印刷信号に変換される（２５）。中間調スクリーンは、閾値を含む繰り返し２次元マトリクス構造、即ち、ディザマトリクスによって構成されたラスタである。閾値は所定の順序に並べられる。或いは、閾値は、ランダムに、即ち、いわゆる確率論的なディザマトリクスの形に配列してもよい。各印刷信号は、ラスタの対応する閾値に関して、各画素の関連したプロセスカラーの画像濃度値を解析することによって、同一の２次元マトリクス構造の上記ラスタから構築される。印刷信号は印刷ユニットへ転送してもよく、印刷ユニットにおいて、位置合わせ誤差の影響を受け、ドット・オフ・ドット式に印刷されたマーキング粒子の位置合わせされた多色画像が被描画体に形成される。或いは、ＣＴ値が１００％を上回る場合、マーキング粒子の画像ドットの単一層は全部の画像部分を描画するためには不十分である。ＣＴ値に依存して、画像ドットのマーキング粒子の少なくとも第２の層、及び、可能であれば後続の層が全部の画像部分を描画するために必要とされる。１００％＜ＣＴ≦２００％の場合、図２において想定されているように、２層で十分である。各プロセスカラーＹｉ、ｊ、Ｍｉ、ｊ、Ｃｉ、ｊ、Ｋｉ、ｊに関連した画像濃度値は、図４を参照して後述されるように、第１の画像濃度値Ｙ１ｉ、ｊ、Ｍ１ｉ、ｊ、Ｃ１ｉ、ｊ、Ｋ１ｉ、ｊと、第２の画像濃度値Ｙ２ｉ、ｊ、Ｍ２ｉ、ｊ、Ｃ２ｉ、ｊ、Ｋ２ｉ、ｊに分けられる（２６）。第１の画像濃度値は、同じ第１の中間調スクリーンを利用して、マーキング粒子の画像ドットの第１のフルカバレッジ層を描画する第１の印刷信号の系列を生成する（２５）ため使用される。第２の画像濃度値は、上記の第１の中間調スクリーンではないがこれと同一の或る第２の中間調スクリーンを利用して、マーキング粒子の画像ドットの第２の層を描画する第２の印刷信号の系列を生成する（２５）ため使用される。第１及び第２の印刷信号の系列は印刷ユニットに転送される。印刷ユニットは、位置合わせ誤差の影響を受け、上記第１の印刷信号の系列を使用して、上記第１の系列に関連したプロセスカラーのドット・オフ・ドット印刷されたマーキング粒子の第１の層を被描画体に形成し、上記第２の系列に関連したプロセスカラーのドット・オフ・ドット印刷された第２のマーキング粒子の層を上記第１の層に形成する。
【００２２】
図３は、デジタル画像の画像部分に関連した画像信号を印刷信号に変換する方法（図２の参照番号２５）の実施形態のフローチャートである。変換を始めるにあたって、画像部分のエリアカバレッジ値と、その画像部分を描画するために必要な層数は既知である。各層に対し、デジタル画像の各画素の関連した画像濃度値は変換ルーチンに入力される。画像部分の第１の画素から始めて、その画素に関連し、対応する層を生成するために必要とされる画像濃度値が、プロセスカラーの所定の系列に従って取り出され、ソートされる（３１）。ソート順は、プロセスカラーのコントラスト値が低下する順番である。最高コントラスト値のプロセスカラーに関連した画像信号が最初に変換される。この場合、黒（Ｋ）が最初に変換され、次に、マゼンタ（Ｍ）、シアン（Ｃ）が変換され、最後に、黄（Ｙ）が変換される。人間の視覚は、最高コントラストのプロセスカラーに対する感度が最も高い。本発明は、プロセスカラーの順番がコントラストの減少する順番であることに限定されるものではないが、この順番は、確率論的ディザマトリクスは画像濃度値が低い場合に描画された画像の最良の分布を生じるので、中間調値化が確率論的ディザマトリクスを利用するときに特に有利である。画素に関連した画像濃度値がソートされた後、マーキング粒子の画像ドットを形成すべきであるかどうかが判定され、形成すべきである場合には、使用されるべきプロセスカラーが判定される。これは、次の手順で行われる。画素の全体的な画像濃度値ＤＴが規定される（３２）。最初、ＤＴはプロセスカラーの系列内の１番目のプロセスカラーに関連した画像濃度値と一致する。これは黒色であるため、ＤＴ＝Ｋｘｉ、ｊである。各層には、２次元マトリクス構造の繰り返しパターンにより構成されたラスタが関連付けられている。各層内で、同じラスタが各プロセスカラーに対して使用される。ＤＴは、関連したラスタの対応する閾値Ｔｘｉ、ｊと比較される（３３）。ＤＴの値がこの閾値を上回るとき、この場合には黒色である対応するカラーのマーキング粒子の画像ドットが形成されるべきであることが指定される。ＤＴの値がこの閾値以下であるならば、プロセスカラーが系列内の最後のプロセスカラーであるかどうかを判定する（３５）。プロセスカラーは黒色であるため、まだ、最後のプロセスカラーではない。したがって、次のプロセスカラー（マゼンタ）に関連した画像濃度値がＤＴに加算される（３２）。再度、ＤＴは関連したラスタの同じ対応する閾値と比較される（３３）。ＤＴの値がこの閾値を上回るとき、この場合にはマゼンタである対応するカラーのマーキング粒子の画像ドットが形成されるべきであることが指示され、上回らないときには、後続のプロセスカラー、即ち、シアンの画像濃度値がＤＴに加算される。この一連のステップは、対応するカラーの画像ドットを形成すべきであることが指示されるか（３４）、又は、閾値を上回ることなく系列の最後のプロセスカラーに到達する（３５）まで繰り返される。後者の場合、形成されるべきマーキング粒子の画像ドットは存在しない旨が指示される（３６）。画像ドットを形成すべきであるかどうかが指示された後、次の画素に関連した画像濃度値が、もしあれば、取得される。これが画像部分のすべての画素について繰り返されると、もしあれば、後続の各層について全シーケンスが全画像部分が印刷信号に変換されるまで繰り返される。
【００２３】
更に、本発明の一実施例に従って、ＣＴの値に依存してマーキング粒子の画像ドットの多数の層を形成するための印刷信号への変換を可能にさせるため、画像部分に関連した画像信号をスプリットする方法（図２の参照番号（２６））の実施形態が図４に示されている。本発明によれば、複製された画像のカラーバランスに有利な効果を得るため、少なくとも二つのプロセスカラーのエリアカバレッジ割合値の間の比の層間での変動が最小限に抑えられるように、中間調処理を実行することが目標とされる。図４において、図２でも仮定されていたように１００％＜ＣＴ≦２００％である場合を仮定すると、画像信号は、画像ドットの２層を生成するため分けられる。これは次の手順で行われる。最初に、どのプロセスカラーが第１の画像ドット層においてだけ描画されるべきかと、どのプロセスカラーが両方の画像ドット層で描画されるべきかが決定される（４１）。図４に示されているような実施形態の場合、黒は第１の層だけで描画され、一方、マゼンタ、シアン、黄は両方の層に分割される。最高のコントラスト値を有するプロセスカラーを第１の層だけに描画することは、複製された画像のカラーバランスに有利な効果を生ずる。各画素に対し、黒画像ドットだけを形成すべきであるかどうかを判定する。これは、関連した画像濃度値を第１のディザマトリクス構造の対応する閾値と比較する（４２）ことによって行われる。画像濃度値が閾値を上回るとき、黒色プロセスカラーの画像ドットを形成すべきであることが指示される（４３）。続いて、画像部分の次の画素が処理される。画像濃度値が閾値を上回らない場合、画素に関連した画像濃度値の合計がＴＭＡＸを上回るかどうかを判定する（４４）。ＴＭＡＸは第１のディザマトリクスの最大閾値である。画素に関連した画像濃度値の合計が最大閾値を上回らない場合、第１の層のマーキング粒子の画像ドットを形成すべきであるかどうかが判定されるであろう。この評価は、例えば、図３に示されるように、第１のディザマトリクスを使用して画素に関連した画像信号（４５）を印刷信号に変換（２５）することによって第１の層だけで実行される。画素に関連した画像濃度値の合計が最大閾値を上回らる場合、マゼンタ、シアン、及び、黄、即ち、第１の層及び第２の層の両方で描画されるプロセスカラーの画素エリアカバレッジ割合値が計算される（４６）。続いて、関連した画像濃度値は、第１の画像濃度値、即ち、第１の層に関連した画像濃度値と、第２の画像濃度値、即ち、第２の層に関連した画像濃度値と、に分割される（４６）。マゼンタ、シアン、及び、黄の第１と第２の両方の画像濃度値は、マゼンタ、シアン、及び、黄のエリアカバレッジ割合の間の比が両方の層内でほぼ同一になるように計算される。この計算が画像部分のすべての画素に対して実行された後、第１の画像濃度値に関連した画像信号は、マーキング粒子の画像ドットの第１の層を描画する第１の印刷信号の系列に変換され（２５）、一方、第２の画像濃度値に関連した画像信号は、マーキング粒子の画像ドットの第２の層を描画するための第２の印刷信号の系列に変換される（２５）。
【００２４】
（例）
図面を参照して、一例によって、本発明の一実施例による中間調処理技術を利用してデジタル多色画像が複製される方法を説明する。例えば、原多色画像を６００ｄｐｉ×６００ｄｐｉの解像度で走査して、赤（Ｒ）、緑（Ｇ）及び青（Ｂ）に対応する３個の分解画像により構成されたデジタル多色画像を得る場合を考える。各分解画像に関連した画像信号は、各色の画素毎に、８ビット表現を使用して画像濃度値を指定する。８ビット表現は、各々が特定の色調値に対応する２５６レベルを定義することが可能である。このデジタル多色画像はデジタルカラー印刷システムへ転送される。黒（Ｋ）、シアン（Ｃ）、マゼンタ（Ｍ）及び黄（Ｙ）の４色のプロセスカラーの選択が行われた場合を考える。画像プロセッサの画像信号生成モジュールは、分解画像に関連した３個のＲＧＢ色の画像信号を、選択されたプロセスカラーであるＣＭＹＫの分解画像に関連した４個の画像信号に変換する。公知のカラー管理技術が元の色を適切に描画するため使用される。適切であれば、好ましくは、プロセスカラーの分解画像の画素サイズが印刷ユニットの画像ドットサイズと合うように、従来技術を用いて変換中にラスタが適応させられる。本例では、走査された画像の画素サイズは、約４２μｍ×４２μｍのサイズであり、６００ｄｐｉ×６００ｄｐｉの画像解像度を有する。この画素サイズは、印刷ユニットが６００ｄｐｉ×６００ｄｐｉの解像度で印刷する能力を備えているならば、印刷ユニットによって描画できる最小画素サイズに対応する。
【００２５】
プロセスカラーの分解画像に関連した印刷信号は、画素毎に、関連したプロセスカラーの画像濃度値をラスタの対応するセル内の閾値と比較することにより生成される。ラスタはマトリクス構造の繰り返しパターンである。マトリクスの各セルのサイズは、印刷ユニットによって描画できる最小画像ドットサイズに対応する。１６個のセルを有するこのようなマトリクス構造の一例は図５ａに示されている。実際には、通常、より多数の色調値を描画することができる一層大きいマトリクスが使用される。最小画像濃度と最大画像濃度の間の閾値の分布は選択することができる。閾値は所定の順序で、又は、ランダムに並べられてよい。
【００２６】
更に、一例として、図５ａにおける単一のマトリクス構造のラスタと同じサイズのエリアを有するデジタル画像（図５ｃを参照）が処理され、その画像部分が画素と対応している場合を考える。第１のディザマトリクス（図５ａ）の最大閾値は２５５である。この場合には画素である画像部分の総エリアカバレッジ値（ＣＴ）は、それぞれのプロセスカラーの画像濃度値を加算することにより得られた値に基づいている。画像濃度値の合計が２５５を上回るとき、ＣＴは１００％カバレッジを上回る。デジタル画像の第１の画像部分は、黒色だけの２４０である非零画像濃度値を有する画素である（図２ｃの左上隅）。したがって、ＣＴ値が１００％カバレッジを下回ることは明らかである。即ち、図３の処理フローを使用したとき、層の数は１である。本例の場合、画像の各画素のプロセスカラーのソート系列（３１）は同じであり、Ｋ、Ｍ、Ｃ、及び、最後にＹの順番である。最初、ＤＴは、プロセスカラーの系列内の１番目のプロセスカラーに関連した画像濃度値と一致する。このプロセスカラーは黒であるので、ＤＴ＝２４０である。第１の層に関連したラスタは図５ａのラスタである。ＤＴは、関連したラスタの対応した閾値６３と比較される（３３）。ＤＴの値はこの閾値を上回るので、対応した色、この場合には黒のマーキング粒子の画像ドットを形成することが指示される。これは図５ｆに現されている（左上隅）。この一連のステップは、後続の画素に対して繰り返される。各層内で、同じラスタが各プロセスカラーのため使用される。図５ｆの空のセルは、形成される画像ドットが存在しないことを指示する。図５ｃの第２行の４番目の画素は、マゼンタ色に関連した画像濃度値２００と、黄色に関連した画像濃度値１５０と、を有する。これらの値を加算することによって、最大閾値２５５を明らかに上回る値３５０が得られ、換言すると、ＣＴは１００％を上回る（２４）。画素に関連した各プロセスカラーの画像濃度値Ｍｉ、ｊ、Ｙｉ、ｊは、図４を参照して詳しく説明されたように、第１の画像濃度値Ｍ１ｉ、ｊ、Ｙ１ｉ、ｊ（図５ｄ）と、第２の画像濃度値Ｍ２ｉ、ｊ、Ｙ２ｉ、ｊ（図５ｅ）と、分けられる（２６）。Ｍｉ、ｊ＋Ｙｉ、ｊ＞２５５（４４）であるとき、第１の画像濃度値Ｍ１ｉ、ｊ＝０．５７×２５５＝１４５とＹ１ｉ、ｊ＝０．４３×２５５＝１１０が計算され、第２の画像濃度値Ｍ２ｉ、ｊ＝２００−１４５＝５５とＹ２ｉ、ｊ＝１５０−１１０＝４０が計算される（４６）。印刷信号へ変換するため、図３の処理フローが再び使用される。第１の層に対し、最初、ＤＴは、プロセスカラーの系列内の１番目のプロセスカラーに関連した画像濃度値と一致する。これは黒であるため、ＤＴ＝０である。第１の層に関連したラスタは図５ａのラスタである。ＤＴは、関連したラスタの対応する閾値１７５と比較される（３３）。ＤＴの値はこの閾値よりも小さいので、プロセスカラーが系列内の最後のプロセスカラーであるかどうかが判定される（３５）。プロセスカラーは黒であるため、まだその場合には当てはまらない。したがって、次のプロセスカラー（マゼンタ）に関連した画像濃度値がＤＴに加算される（３２）。再度、ここでは１４５に一致するＤＴは、関連したラス��の同じ対応する閾値１７５と比較される（３３）。このＤＴの値は未だこの閾値を上回らない。したがって、黄色プロセスカラーに対する値１１０がＤＴに加算され、ＤＴが明らかに閾値を上回る。その結果として、図５ｅに示されているように、黄色の画像ドットが第１の層に形成される。第２の層に対し、最初、ＤＴの非零値は、マゼンタ色のプロセスカラーに関連した画像濃度値５５と一致する。第２の層に関連したラスタは図５ｂのラスタである。ＤＴは関連したラスタの対応する閾値１５９と比較される（３３）。ＤＴの値はこの閾値よりも小さいので、次のプロセスカラー（黄）に関連した非零画像濃度値がＤＴに加算される（３２）。再度、ここでは９５に一致するＤＴが、関連したラスタの同じ対応する閾値１５９と比較される（３３）。このＤＴの値は未だこの閾値を上回らない。このプロセスカラーは系列内の最後のプロセスカラーであるため、この画素に対して第２の層に画素ドットは形成されない。
【００２７】
理論的には、本例の簡単化された処理フローを利用することにより、相互に重なる同じプロセスカラーの二つの画像ドットを獲得することが可能である。しかし、実際的な実施例では、複数の層に描画される各プロセスカラーのエリアカバレッジ割合の間の比が影響されないことを保証し、かつ、各色の適切な量が描画されることを保証すると同時に、二つの画像ドットが獲得されることを避けるために、適切な注意が払われる。
【００２８】
更に、本発明の他の実施例によれば、図６は、１画素のサイズを有する画像部分に関連した画像信号を、ＣＴの値に依存してマーキング粒子の画像ドットの層を形成する印刷信号に変換する実施態様を示す図である。本発明によれば、複製された画像のカラーバランスに有利な影響を与えるため、少なくとも２色のプロセスカラーのエリアカバレッジ割合の間の比が層と層の間で変化する量を最小限に抑えるように中間調処理を行うことが目標とされる。したがって、どのプロセスカラーが第１の画像ドット層においてだけ描画されるべきかと、どのプロセスカラーがすべての層において描画されるべきかが決定される（６１）。図６のような実施態様の場合、本例では黒、マゼンタ、シアン及び黄であるすべてのプロセスカラーは、すべての層に描画されることとなる。画素に関連したすべての画像濃度値の合計Σは、総エリアカバレッジ値ＣＴ、各々のプロセスカラー割合、及び、画素を描画するために必要な層の数を計算するため決定される。各層には、関連したスクリーン、即ち、閾値を含む繰り返しマトリクス構造のラスタがある。画素を描画するために多数の層が必要になる場合、即ち、ＣＴが１００％を上回るとき、各層に関連した対応するマトリクス構造は相互に異なる。必須要件ではないが、説明の簡単化のため、マトリクス構造の最大閾値ＴＭＡＸは、各層に関連した対応するスクリーンに対して同一であると仮定する。一例として、ＣＴは１００％を上回ることにする。第１の層から始めて、ΣがＴＭＡＸを上回るかどうかを判定する。ＣＴは１００％を上回るので、Σ＞ＴＭＡＸであり、変数ＦＲＡＣはＴＭＡＸと一致するようにセットされる。変数ＦＲＡＣは、それぞれの層に亘って、画素に関連した各色の画像濃度値の分割を容易に行うために導入される。画素に関連した画像濃度値がソートされた後、マーキング粒子の画像ドットが形成されるべきであるかどうかを判定し、形成されるべきである場合、どのプロセスカラーを使用すべきかを判定する。これは次の手順で行われる。画素の全体的な画像濃度値ＤＴが定義される（６５）。最初、ＤＴは第１の層に対応するプロセスカラーの系列中の１番目のプロセスカラーに関連した画像濃度割合と一致する。この画像濃度割合は、対応するプロセスカラーのエリアカバレッジ割合とＦＲＡＣの積として決められる。このようにすることによって、各層内のプロセスカラーの画像濃度割合の間の比がほぼ同じになるという利点が得られる。１番目のプロセスカラーは黒であるため、ＤＴ＝ＦＫ×ＦＲＡＣである。各層に関連したラスタは、２次元マトリクス構造の繰り返しパターンにより構成される。各層内で、同じラスタが各プロセスカラーに対し使用される。ＤＴは、関連したラスタの閾値Ｔｘｉ、ｊと比較される（６６）。ＤＴの値がこの閾値を上回るとき、本例では黒である対応する色のマーキング粒子の画像ドットを形成すべきである旨を指示する（６７）。ＤＴの値がこの閾値以下であるとき、このプロセスカラーが系列中の最後のプロセスカラーであるかどうかを判定する（６８）。プロセスカラーは黒であるため、このプロセスカラーは未だ最後のプロセスカラーではない。したがって、次のプロセスカラー（マゼンタ）に関連した画像���度割合がＤＴに加算される（６５）。再度、ＤＴは、関連したラスタの同じ対応する閾値と比較される（６６）。ＤＴの値がこの閾値を上回るとき、対応する色、この場合には、マゼンタのマーキング粒子の画像ドットを形成すべきである旨を指示し、そうではないとき、次のプロセスカラー、即ち、シアンの画像濃度割合がＤＴに加算される。この一連のステップは、対応する色の画像ドットを形成すべき旨が指示される（６７）か、又は、閾値を上回ること無く、系列中の最後のプロセスカラーに達する（６８）まで繰り返される。後者の場合、形成されるべきマーキング粒子の画像ドットが存在しない旨を指示する（６９）。本例では、ＣＴは、特定のプロセスカラーに対し、閾値及び対応する画像濃度割合の値に依存して１００％を上回るので、画像ドットを形成すべき旨が指示される。画素に関連したすべてのプロセスカラーの全エリアカバレッジ割合の合計であるＦＴＯＴは、次に、特定の着色ドットが形成されるように補正される（６７）。第２又は後続の層を処理するとき、再度、その層又は各層に対して、Σの新しい値がＴＭＡＸを上回るかどうかが判定される。換言すると、例えば、第２の層の場合には、ＣＴが２００％を上回るかどうか、又は、例えば、第３の層の場合には、ＣＴが３００％を上回るかどうかが判定される。それぞれの層のマーキング粒子の画像ドットが形成されるべきであるかどうかを判定し、形成されるべきである場合に、使用されるべきプロセスカラーを判定するため、ＤＴは、第２又は任意の後続の層に対応するプロセスカラーの系列中の１番目のプロセスカラーに関連した画像濃度割合と一致するようにセットされる。しかし、１つ又は複数の後の層で描画されるプロセスカラーの画像ドットが同じ画素位置に形成される可能性は回避される。次に、ＤＴは、第２の層又は後続の層に関連したスクリーン内の画素位置（ｉ、ｊ）に対応する閾値と比較される。第２又は後続の層に関連したスクリーンは、閾値を含む繰り返しマトリクス構造のラスタであり、このマトリクス構造は、第１の層に関連したスクリーンのマトリクス構造とは異なる。しかし、第２又は後続の層に関連した画素位置（ｉ、ｊ）に対応する閾値は、補正されたＦＴＯＴと乗算される。特に、閾値は下げられるので、前の層に描画された色とは異なるプロセスカラーの画像ドットが後の層に描画される機会が増加する。このようにすることによって、有利には、前の層に描画されるプロセスカラーが描画されるべき色の量に与える影響が考慮され、必ず適切な量の色が効率的に描画されるようにする。
【図面の簡単な説明】
【００２９】
【図１】本発明によるカラー画像複製システムの略構成図である。
【図２】画像信号の印刷信号への実際の変換を含み、デジタル画像に関連した画像信号に対して実行される、本発明の一実施例による画像処理ステップの概略フローチャートである。
【図３】本発明の一実施例による図２の印刷信号への変換ステップ（２５）の詳細処理フロー説明図である。
【図４】本発明の一実施例に従って、デジタル画像の画素に関連した画像濃度値が第１及び第２の画像濃度値にスプリットされる図２のスプリットステップ（２６）の詳細処理フロー説明図である。
【図５ａ】図５ｄの第１の画像濃度値を対応する閾値と比較することにより図５ｃのデジタル画像を中間調処理するため使用される閾値を含む単一マトリクス構造のラスタの一例の説明図である。
【図５ｂ】図５ｅの第２の画像濃度値を対応する閾値と比較することにより図５ｃのデジタル画像を中間調処理するため使用される閾値を含む単一マトリクス構造のラスタの一例の説明図である。
【図５ｃ】各画素の画素濃度値を含むデジタル多色画像の画素化表現の説明図である。
【図５ｄ】本発明の一実施例に従って図５ｃの画像濃度値をスプリットすることにより取得された各画素の第１の画像濃度値だけを含む図５ｃのデジタル多色画像の説明図である。
【図５ｅ】本発明の一実施例に従って図５ｃの画像濃度値をスプリットすることにより取得された各画素の第２の画像濃度値だけを含む図５ｃのデジタル多色画像の説明図である。
【図５ｆ】本発明の一実施例による図５ｃの多色画像の複製の画素化表現の説明図であり、添字１付きのプロセスカラーは第１の層に形成された画像ドットであり、添字２付きのプロセスカラーは第２の層に形成された画像ドットである。
【図６】本発明の一実施例に従って印刷信号への変換のためデジタル画像の画素に関連付けられた画像信号に実行される画像処理ステップの概略処理フロー説明図である。
【符号の説明】
【００３０】
１  画像処理システム
２  印刷ユニット
３  スキャナ
４  カメラ又はビデオカメラ
５  デジタル画像又は文書
６  プロセスカラー
７  プロセスカラー選択
８  画像信号生成器
９  変換モジュール
１０  解析モジュール
２０、４５  画像信号
２１  画像部分
２２  画素
２４、３３、４２、６３、６６  比較ステップ
２３、６５  加算ステップ
２５  生成ステップ
２６  スプリットステップ
３１  ソートステップ
３２  規定ステップ
３４、３６、４３、６７、６９  指示ステップ
３５、４４、６８  判定ステップ
４６  計算ステップ
４１、６１  決定ステップ
Ｍｉ、ｊ、Ｙｉ、ｊ、Ｍ２ｉ、ｊ、Ｙ２ｉ、ｊ画像濃度値
【図１】
2004188973.tif 000004
【図２】
2004188973.tif 000005
【図３】
2004188973.tif 000006
【図４】
2004188973.tif 000007
【図５ａ】
2004188973.tif 000008
【図５ｂ】
2004188973.tif 000009
【図５ｃ】
2004188973.tif 000010
【図５ｄ】
2004188973.tif 000011
【図５ｅ】
2004188973.tif 000012
【図５ｆ】
2004188973.tif 000013
【図６】
2004188973.tif 000014
【外国語明細書】
2004188973.tif 000015
2004188973.tif 000016
2004188973.tif 000017
2004188973.tif 000018
2004188973.tif 000019
2004188973.tif 000020
2004188973.tif 000021
2004188973.tif 000022
2004188973.tif 000023
2004188973.tif 000024
2004188973.tif 000025
2004188973.tif 000026
2004188973.tif 000027
2004188973.tif 000028
2004188973.tif 000029
2004188973.tif 000030
2004188973.tif 000031
2004188973.tif 000032
2004188973.tif 000033
2004188973.tif 000034
2004188973.tif 000035
2004188973.tif 000036
2004188973.tif 000037
2004188973.tif 000038
2004188973.tif 000039
2004188973.tif 000040
2004188973.tif 000041
2004188973.tif 000042
2004188973.tif 000043
2004188973.tif 000044
2004188973.tif 000045
2004188973.tif 000046
2004188973.tif 000047